(57)【要約】【課題】ハウジングの内部にバッテリパックを収容するクリーナにおいて、対応していないバッテリパックがクリーナに誤って挿入されてしまうことを防止することが可能な技術を提供する。【解決手段】本明細書はクリーナを開示する。前記クリーナは、ファンと、モータと、バッテリパックと、ハウジングを備えている。前記ハウジングは、バッテリパック収容部と、前記バッテリパックを前記ハウジングの外側から前記バッテリパック収容部に挿入可能な開口部を備えている。前記バッテリパック収容部は、ハウジング側凸部と、ハウジング側凹部を備えている。前記バッテリパックは、前記ハウジング側凹部に対応する位置および形状で前記バッテリパックの外面から突出するバッテリ側凸部と、前記ハウジング側凸部に対応する位置および形状で前記バッテリパックの外面から陥凹するバッテリ側凹部を備えている。【選択図】図５
2020048592.tif 000002
【特許請求の範囲】
【請求項１】
空気を吸引するファンと、
前記ファンを回転させるモータと、
前記モータに電力を供給するバッテリパックと、
前記ファン、前記モータおよび前記バッテリパックを収容するハウジングを備えるクリーナであって、
前記ハウジングが、
前記バッテリパックを収容するバッテリパック収容部と、
前記バッテリパックを前記ハウジングの外側から前記バッテリパック収容部に挿入可能な開口部を備えており、
前記バッテリパック収容部が、
前記バッテリパックの挿入方向に直交する面内で、前記バッテリパックに向かって突出するハウジング側凸部と、
前記バッテリパックの挿入方向に直交する面内で、前記バッテリパックの反対側に向かって陥凹するハウジング側凹部を備えており、
前記バッテリパックが、
前記ハウジング側凹部に対応する位置および形状で前記バッテリパックの外面から突出するバッテリ側凸部と、
前記ハウジング側凸部に対応する位置および形状で前記バッテリパックの外面から陥凹するバッテリ側凹部を備えている、クリーナ。
【請求項２】
前記バッテリ側凸部が、前記バッテリパックの前記挿入方向に直交する方向における中央部に配置されている、請求項１のクリーナ。
【請求項３】
前記バッテリ側凹部が、前記バッテリパックの前記挿入方向に直交する方向における端部に配置されている、請求項１または２のクリーナ。
【請求項４】
前記バッテリ側凹部が、前記バッテリパックの角部に配置されている、請求項３のクリーナ。
【請求項５】
前記バッテリパックが、コネクタを備えており、
前記バッテリ側凹部が、前記バッテリパックの前記挿入方向に直交する方向において前記コネクタとは反対側に配置されている、請求項３または４のクリーナ。
【請求項６】
前記バッテリ側凸部が、前記バッテリパックの先端の近傍に配置されている、請求項１から５の何れか一項のクリーナ。
【請求項７】
前記バッテリ側凸部が、前記バッテリパックの挿入方向に沿って伸びており、
前記バッテリ側凹部が、前記バッテリパックの挿入方向に沿って伸びている、請求項１から６の何れか一項のクリーナ。
【請求項８】
前記ハウジング側凸部が、前記開口部の近傍に配置されている、請求項１から７の何れか一項のクリーナ。
【請求項９】
前記ハウジングが、
前記ファンと、前記モータを収容する本体ハウジングと、
前記本体ハウジングに一端が接続されており、使用者が把持可能なハンドルと、
一端が前記ハンドルの他端に接続されており、他端が前記本体ハウジングに接続されたハンドル支持部を備えており、
前記バッテリパック収容部が、前記ハンドル支持部の内部に配置されており、
前記開口部が、前記ハンドル支持部の前記一端に配置されている、請求項１から８の何れか一項のクリーナ。
【請求項１０】
クリーナで使用されるバッテリパックであって、
前記クリーナが、
空気を吸引するファンと、
前記バッテリパックから電力を供給されて、前記ファンを回転させるモータと、
前記ファン、前記モータおよび前記バッテリパックを収容するハウジングを備えており、
前記ハウジングが、
前記バッテリパックを収容するバッテリパック収容部と、
前記バッテリパックを前記ハウジングの外側から前記バッテリパック収容部に挿入可能な開口部を備えており、
前記バッテリパック収容部が、
前記バッテリパックの挿入方向に直交する面内で、前記バッテリパックに向かって突出するハウジング側凸部と、
前記バッテリパックの挿入方向に直交する面内で、前記バッテリパックの反対側に向かって陥凹するハウジング側凹部を備えており、
前記バッテリパックが、
前記ハウジング側凹部に対応する位置および形状で前記バッテリパックの外面から突出するバッテリ側凸部と、
前記ハウジング側凸部に対応する位置および形状で前記バッテリパックの外面から陥凹するバッテリ側凹部を備える、バッテリパック。
【請求項１１】
前記バッテリ側凸部が、前記バッテリパックの前記挿入方向に直交する方向における中央部に配置されている、請求項１０のバッテリパック。
【請求項１２】
前記バッテリ側凹部が、前記バッテリパックの前記挿入方向に直交する方向における端部に配置されている、請求項１０または１１のバッテリパック。
【請求項１３】
前記バッテリ側凹部が、前記バッテリパックの角部に配置されている、請求項１２のバッテリパック。
【請求項１４】
前記バッテリパックが、コネクタを備えており、
前記バッテリ側凹部が、前記バッテリパックの前記挿入方向に直交する方向において前記コネクタとは反対側に配置されている、請求項１２または１３のバッテリパック。
【請求項１５】
前記バッテリ側凸部が、前記バッテリパックの先端の近傍に配置されている、請求項１０から１４の何れか一項のバッテリパック。
【請求項１６】
前記バッテリ側凸部が、前記バッテリパックの挿入方向に沿って伸びており、
前記バッテリ側凹部が、前記バッテリパックの挿入方向に沿って伸びている、請求項１０から１５の何れか一項のバッテリパック。
【発明の詳細な説明】
【技術分野】
【０００１】
本明細書で開示する技術は、クリーナおよびバッテリパックに関する。
【背景技術】
【０００２】
特許文献１には、空気を吸引するファンと、前記ファンを回転させるモータと、前記モータに電力を供給するバッテリパックと、前記ファン、前記モータおよび前記バッテリパックを収容するハウジングを備えるクリーナが開示されている。前記ハウジングは、前記バッテリパックを収容するバッテリパック収容部と、前記バッテリパックを前記ハウジングの外側から前記バッテリパック収容部に挿入可能な開口部を備えている。
【先行技術文献】
【特許文献】
【０００３】
【特許文献１】特開２０１３−２３０３０２号公報
【発明の概要】
【発明が解決しようとする課題】
【０００４】
上記のようにハウジングの内部にバッテリパックを収容するクリーナについて、既存の製品を改良して新たな製品を提供する際に、例えばバッテリパック側の電池セルや電気回路の構成を変更したり、それに対応してクリーナ側の電気回路の構成を変更したりすることがある。このような場合に、既存の構成のバッテリパックを新たな構成のクリーナに挿入してしまったり、新たな構成のバッテリパックを既存の構成のクリーナに挿入してしまうと、故障や不具合を生じるおそれがある。本明細書では、ハウジングの内部にバッテリパックを収容するクリーナにおいて、対応していないバッテリパックがクリーナに誤って挿入されてしまうことを防止することが可能な技術を提供する。
【課題を解決するための手段】
【０００５】
本明細書はクリーナを開示する。前記クリーナは、空気を吸引するファンと、前記ファンを回転させるモータと、前記モータに電力を供給するバッテリパックと、前記ファン、前記モータおよび前記バッテリパックを収容するハウジングを備えていてもよい。前記ハウジングは、前記バッテリパックを収容するバッテリパック収容部と、前記バッテリパックを前記ハウジングの外側から前記バッテリパック収容部に挿入可能な開口部を備えていてもよい。前記バッテリパック収容部は、前記バッテリパックの挿入方向に直交する面内で、前記バッテリパックに向かって突出するハウジング側凸部と、前記バッテリパックの挿入方向に直交する面内で、前記バッテリパックの反対側に向かって陥凹するハウジング側凹部を備えていてもよい。前記バッテリパックは、前記ハウジング側凹部に対応する位置および形状で前記バッテリパックの外面から突出するバッテリ側凸部と、前記ハウジング側凸部に対応する位置および形状で前記バッテリパックの外面から陥凹するバッテリ側凹部を備えていてもよい。
【０００６】
本明細書は、クリーナで使用されるバッテリパックも開示する。前記クリーナは、空気を吸引するファンと、前記バッテリパックから電力を供給されて、前記ファンを回転させるモータと、前記ファン、前記モータおよび前記バッテリパックを収容するハウジングを備えていてもよい。前記ハウジングは、前記バッテリパックを収容するバッテリパック収容部と、前記バッテリパックを前記ハウジングの外側から前記バッテリパック収容部に挿入可能な開口部を備えていてもよい。前記バッテリパック収容部は、前記バッテリパックの挿入方向に直交する面内で、前記バッテリパックに向かって突出するハウジング側凸部と、前記バッテリパックの挿入方向に直交する面内で、前記バッテリパックの反対側に向かって陥凹するハウジング側凹部を備えていてもよい。前記バッテリパックは、前記ハウジング側凹部に対応する位置および形状で前記バッテリパックの外面から突出するバッテリ側凸部と、前記ハウジング側凸部に対応する位置および形状で前記バッテリパックの外面から陥凹するバッテリ側凹部を備えていてもよい。
【０００７】
上記の構成によれば、バッテリ側凹部を備えていないバッテリパックが、ハウジング側凸部を備えるクリーナに挿入されてしまうことや、バッテリ側凸部を備えるバッテリパックが、ハウジング側凹部を備えていないクリーナに挿入されてしまうことを防ぐことができる。このような構成とすることによって、対応していないバッテリパックがクリーナに誤って挿入されてしまうことを防止することができる。
【図面の簡単な説明】
【０００８】
【図１】実施例のクリーナ２，１０２の斜視図である。
【図２】実施例のクリーナ２，１０２の内部の構造を示す断面図である。
【図３】実施例のクリーナ２において、バッテリパック３０の着脱の様子を示す斜視図である。
【図４】実施例のバッテリパック３０，１０４の内部の構造を示す斜視図である。
【図５】実施例のバッテリパック３０の斜視図である。
【図６】実施例のクリーナ２，１０２の回路構成を模式的に示す図である。
【図７】実施例のクリーナ２のバッテリパック収容部４４の断面図である。
【図８】実施例のバッテリパック１０４の斜視図である。
【図９】実施例のクリーナ１０２のバッテリパック収容部４４の断面図である。
【図１０】実施例のクリーナ２，１０２のＤＣジャック４２と、ＡＣアダプタ６０，１０６のプラグ９０の寸法の関係を模式的に示す図である。
【図１１】変形例のクリーナ２０２，３０２の斜視図である。
【図１２】変形例のクリーナ２０２，３０２のレール９４と、バッテリパック２０４，３０４のレール９６の寸法の関係を模式的に示す図である。
【図１３】実施例のクリーナ２のバッテリパック３０の別の例を示す斜視図である。
【図１４】実施例のクリーナ２のバッテリパック３０のさらに別の例を示す斜視図である。
【発明を実施するための形態】
【０００９】
１つまたはそれ以上の実施形態において、クリーナは、空気を吸引するファンと、前記ファンを回転させるモータと、前記モータに電力を供給するバッテリパックと、前記ファン、前記モータおよび前記バッテリパックを収容するハウジングを備えていてもよい。前記ハウジングは、前記バッテリパックを収容するバッテリパック収容部と、前記バッテリパックを前記ハウジングの外側から前記バッテリパック収容部に挿入可能な開口部を備えていてもよい。前記バッテリパック収容部は、前記バッテリパックの挿入方向に直交する面内で、前記バッテリパックに向かって突出するハウジング側凸部と、前記バッテリパックの挿入方向に直交する面内で、前記バッテリパックの反対側に向かって陥凹するハウジング側凹部を備えていてもよい。前記バッテリパックは、前記ハウジング側凹部に対応する位置および形状で前記バッテリパックの外面から突出するバッテリ側凸部と、前記ハウジング側凸部に対応する位置および形状で前記バッテリパックの外面から陥凹するバッテリ側凹部を備えていてもよい。
【００１０】
１つまたはそれ以上の実施形態において、バッテリパックは、クリーナで使用されてもよい。前記クリーナは、空気を吸引するファンと、前記バッテリパックから電力を供給されて、前記ファンを回転させるモータと、前記ファン、前記モータおよび前記バッテリパックを収容するハウジングを備えていてもよい。前記ハウジングは、前記バッテリパックを収容するバッテリパック収容部と、前記バッテリパックを前記ハウジングの外側から前記バッテリパック収容部に挿入可能な開口部を備えていてもよい。前記バッテリパック収容部は、前記バッテリパックの挿入方向に直交する面内で、前記バッテリパックに向かって突出するハウジング側凸部と、前記バッテリパックの挿入方向に直交する面内で、前記バッテリパックの反対側に向かって陥凹するハウジング側凹部を備えていてもよい。前記バッテリパックは、前記ハウジング側凹部に対応する位置および形状で前記バッテリパックの外面から突出するバッテリ側凸部と、前記ハウジング側凸部に対応する位置および形状で前記バッテリパックの外面から陥凹するバッテリ側凹部を備えていてもよい。
【００１１】
上記の構成によれば、バッテリ側凹部を備えていないバッテリパックが、ハウジング側凸部を備えるクリーナに挿入されてしまうことや、バッテリ側凸部を備えるバッテリパックが、ハウジング側凹部を備えていないクリーナに挿入されてしまうことを防ぐことができる。このような構成とすることによって、対応していないバッテリパックがクリーナに誤って挿入されてしまうことを防止することができる。
【００１２】
１つまたはそれ以上の実施形態において、前記バッテリ側凸部が、前記バッテリパックの前記挿入方向に直交する方向における中央部に配置されていてもよい。
【００１３】
上記の構成では、バッテリパック収容部のハウジング側凹部が、バッテリパックの挿入方向に直交する方向において、中央部に配置される。多くの場合、バッテリパック収容部では、バッテリパックの挿入方向に直交する方向において、端部から中央部に近づくにつれて、利用可能なスペースが大きくなる。上記の構成によれば、バッテリパック収容部で利用可能なスペースを有効に活用して、ハウジング側凹部を配置することができる。
【００１４】
１つまたはそれ以上の実施形態において、前記バッテリ側凹部は、前記バッテリパックの前記挿入方向に直交する方向における端部に配置されていてもよい。
【００１５】
上記の構成では、バッテリパック収容部のハウジング側凸部が、バッテリパックの挿入方向に直交する方向において、端部に配置される。仮に、バッテリパック収容部のハウジング側凸部が、バッテリパックの挿入方向に直交する方向において、中央部近傍に配置されていると、ハウジングを射出成型によって形成する際に、成型後に金型を抜きにくくなり、クリーナの製造が困難なものとなる。上記のように、バッテリパック収容部のハウジング側凸部が、バッテリパックの挿入方向に直交する方向において、端部に配置されていると、ハウジングを射出成型によって形成する際に、成型後に金型を抜きやすくなり、クリーナの製造を容易なものとすることができる。
【００１６】
１つまたはそれ以上の実施形態において、前記バッテリ側凹部は、前記バッテリパックの角部に配置されていてもよい。
【００１７】
多くの場合、バッテリパックに内蔵されている電池セルは、バッテリパックの挿入方向に長手方向を有する略円柱形状を有しており、バッテリパックの角部には利用可能なスペースが存在する。上記の構成によれば、バッテリパックの角部のスペースを有効に活用してバッテリ側凹部を形成することができる。
【００１８】
１つまたはそれ以上の実施形態において、前記バッテリパックは、コネクタを備えていてもよい。前記バッテリ側凹部は、前記バッテリパックの前記挿入方向に直交する方向において前記コネクタとは反対側に配置されていてもよい。
【００１９】
バッテリパックがコネクタを備えている場合、バッテリ側凹部は、電池セルとの干渉だけでなく、コネクタとの干渉も避けて配置する必要がある。上記の構成によれば、バッテリ側凹部が、バッテリパックの挿入方向に直交する方向においてコネクタとは反対側に配置されているので、バッテリ側凹部がコネクタと干渉することを確実に回避することができる。
【００２０】
１つまたはそれ以上の実施形態において、前記バッテリ側凸部は、前記バッテリパックの先端の近傍に配置されていてもよい。
【００２１】
上記の構成によれば、バッテリ側凸部を備えるバッテリパックを、ハウジング側凹部を備えていないクリーナに挿入しようとした場合に、バッテリパックの先端の近傍にあるバッテリ側凸部がすぐにハウジングと干渉するので、使用者はバッテリパックとクリーナが互いに対応していない事を速やかに認識することができる。
【００２２】
１つまたはそれ以上の実施形態において、前記バッテリ側凸部は、前記バッテリパックの挿入方向に沿って伸びていてもよい。前記バッテリ側凹部は、前記バッテリパックの挿入方向に沿って伸びていてもよい。
【００２３】
上記の構成によれば、バッテリパックの着脱に支障をきたすことなく、バッテリ側凸部やバッテリ側凹部の長さを確保することができる。
【００２４】
１つまたはそれ以上の実施形態において、前記ハウジング側凸部は、前記開口部の近傍に配置されていてもよい。
【００２５】
上記の構成によれば、バッテリ側凹部を備えていないバッテリパックを、ハウジング側凸部を備えるクリーナに挿入しようとした場合に、開口部の近傍にあるハウジング側凸部がすぐにバッテリパックと干渉するので、使用者はバッテリパックとクリーナが互いに対応していない事を速やかに認識することができる。
【００２６】
１つまたはそれ以上の実施形態において、前記ハウジングは、前記ファンと、前記モータを収容する本体ハウジングと、前記本体ハウジングに一端が接続されており、使用者が把持可能なハンドルと、一端が前記ハンドルの他端に接続されており、他端が前記本体ハウジングに接続されたハンドル支持部を備えていてもよい。前記バッテリパック収容部は、前記ハンドル支持部の内部に配置されていてもよい。前記開口部は、前記ハンドル支持部の前記一端に配置されていてもよい。
【００２７】
上記の構成によれば、ハンドル支持部の内部の空間をバッテリパック収容部として有効に活用することができる。
【００２８】
（実施例）
以下では、本実施例のクリーナ２，１０２について説明する。クリーナ２とクリーナ１０２は、略同様の構成を備えている。以下ではクリーナ２とクリーナ１０２で共通する構成について、クリーナ２を例として説明する。
【００２９】
図１に示すクリーナ２は、コードレスのハンディクリーナである。クリーナ２は、略円筒形状に形成された本体ハウジング４と、本体ハウジング４の後方上部から後方下方に向けて湾曲して伸びるハンドル６と、本体ハウジング４の後方下部から後方に向けて真っすぐに伸びており、後端がハンドル６の下端に接続するハンドル支持部８を備えている。ハンドル６は、略円形の断面形状を有している。ハンドル支持部８は、長軸が左右方向に伸び、短軸が上下方向に伸びる略楕円形の断面形状を有している。本体ハウジング４の前端には、吸込口１０が形成されている。本体ハウジング４の後方の左右の側面には、排気口１２が形成されている。クリーナ２は、吸込口１０から粉塵を含む空気を吸い込み、排気口１２から粉塵が除去された空気を排出する。なお、本体ハウジング４と、ハンドル６と、ハンドル支持部８は、右ハウジング５と、左ハウジング７によって構成されている。右ハウジング５は、本体ハウジング４の右半面の形状と、ハンドル６の右半面の形状と、ハンドル支持部８の右半面の形状を規定している。左ハウジング７は、本体ハウジング４の左半面の形状と、ハンドル６の左半面の形状と、ハンドル支持部８の左半面の形状を規定している。右ハウジング５と左ハウジング７を合わせて、単にハウジング９ともいう。
【００３０】
図２に示すように、本体ハウジング４の内部には、ダストバッグ１４と、スポンジフィルタ１６と、ファン１８と、モータ２０と、制御ユニット２２が収容されている。また、ハンドル６の内部には、表示ユニット２４と、操作ユニット２６と、接続ユニット２８が収容されている。さらに、ハンドル支持部８の内部および本体ハウジング４の内部には、バッテリパック３０が収容されている。
【００３１】
モータ２０は、例えば直流モータである。モータ２０は、モータ２０の前方に配置されたファン１８を回転駆動する。ファン１８が回転することで、本体ハウジング４の内部において、吸込口１０から空気が流入するとともに、排気口１２から空気が流出する。
【００３２】
ダストバッグ１４は、空気が通過し粉塵が通過しないメッシュ状に形成されている。ダストバッグ１４は、吸込口１０とファン１８の間に配置されており、吸込口１０から流入した空気から粉塵を捕集する。ダストバッグ１４は、本体ハウジング４に形成されたダストバッグ収容部３２に収容されている。ダストバッグ収容部３２の上方には、本体ハウジング４に対して回動することで開閉するフロントカバー３４が配置されている。使用者は、フロントカバー３４を開くことで、ダストバッグ１４を着脱可能である。
【００３３】
スポンジフィルタ１６は、ダストバッグ１４とファン１８の間に配置されている。スポンジフィルタ１６は、ダストバッグ１４を通過した空気から、ダストバッグ１４で収集し切れなかった微細な粉塵を捕集する。
【００３４】
制御ユニット２２には、図示しない配線を介して、モータ２０、表示ユニット２４、操作ユニット２６、接続ユニット２８、バッテリパック３０が接続されている。制御ユニット２２は、バッテリパック３０からモータ２０に供給される電力を制御することで、モータ２０の動作を制御する。
【００３５】
表示ユニット２４は、ハンドル６の前端近傍に配置されている。表示ユニット２４は、ハンドル６の上面に露出したＬＥＤ３６を備えている。ＬＥＤ３６は、使用者にバッテリパック３０の状態を報知する。ＬＥＤ３６の動作は、制御ユニット２２により制御される。
【００３６】
操作ユニット２６は、ハンドル６の上部において、表示ユニット２４よりも後方に配置されている。操作ユニット２６は、使用者がクリーナ２の駆動およびモード選択を指示するための駆動スイッチ３８と、使用者がクリーナ２の停止を指示するための停止スイッチ４０を備えている。駆動スイッチ３８と停止スイッチ４０は、いずれもハンドル６の上面に露出している。駆動スイッチ３８および停止スイッチ４０への操作は、制御ユニット２２に入力される。
【００３７】
接続ユニット２８は、ハンドル６の上部において、表示ユニット２４と操作ユニット２６の間に配置されている。接続ユニット２８は、ハンドル６の右面に露出したＤＣジャック４２（図１参照）を備えている。ＤＣジャック４２には、ＡＣアダプタ６０（図６参照）が接続可能である。制御ユニット２２は、ＤＣジャック４２にＡＣアダプタ６０が接続された場合に、ＡＣアダプタ６０から供給される電力によって、バッテリパック３０を充電する。
【００３８】
バッテリパック３０は、本体ハウジング４の後方下部からハンドル支持部８にかけて形成されたバッテリパック収容部４４に収容されている。ハンドル支持部８の後端には、バッテリパック収容部４４に連通する開口部８ａが形成されている。開口部８ａには、ハンドル支持部８に対して上下方向にスライドさせることで着脱可能なバッテリカバー４６が配置されている。図３に示すように、バッテリカバー４６をハンドル支持部８から取り外した状態では、開口部８ａを介してバッテリパック３０をバッテリパック収容部４４から抜き出すこともできるし、開口部８ａを介してバッテリパック３０をバッテリパック収容部４４へ差し入れることもできる。
【００３９】
図４に示すように、バッテリパック３０は、複数の電池セル４８ａ、４８ｂ、４８ｃと、サーミスタ５０と、配線基板５２と、コネクタ５４を備えている。電池セル４８ａ、４８ｂ、４８ｃは、いずれも、充放電可能な二次電池であって、例えばリチウムイオン電池セルである。電池セル４８ａ、４８ｂ、４８ｃは、直列に接続されている。すなわち、電池セル４８ａの正極は電池セル４８ｂの負極に接続されており、電池セル４８ｂの正極は電池セル４８ｃの負極に接続されている。サーミスタ５０は、電池セル４８ａ、４８ｂ、４８ｃの温度を検出する。配線基板５２は、電池セル４８ａの負極、電池セル４８ａの正極（すなわち電池セル４８ｂの負極）、電池セル４８ｂの正極（すなわち電池セル４８ｃの負極）、電池セル４８ｃの正極と、サーミスタ５０の正極および負極を、コネクタ５４の対応する端子に接続している。
【００４０】
電池セル４８ａ、４８ｂ、４８ｃと、サーミスタ５０と、配線基板５２と、コネクタ５４は、下部ケース５６に収容されている。電池セル４８ａ、４８ｂ、４８ｃは、いずれも、略円柱形状を有している。電池セル４８ａ、４８ｂ、４８ｃは、いずれも、長手方向が前後方向に沿うように配置されている。電池セル４８ａは、バッテリパック３０の右後部に配置されており、電池セル４８ｂは、バッテリパック３０の右前部に配置されており、電池セル４８ｃは、バッテリパック３０の左前部に配置されている。配線基板５２とコネクタ５４は、バッテリパック３０の左後部に配置されている。図５に示すように、下部ケース５６には上部ケース５８が上方から取り付けられている。下部ケース５６に上部ケース５８を取り付けた状態において、コネクタ５４はバッテリパック３０の後部に露出している。バッテリパック３０をクリーナ２のバッテリパック収容部４４に収容した後、制御ユニット２２から伸びるコネクタ（図示せず）をバッテリパック３０のコネクタ５４に差し込むことで、バッテリパック３０は制御ユニット２２に接続される。
【００４１】
図６に示すように、制御ユニット２２は、レギュレータ６２と、マイコン６４と、放電制御ＦＥＴ６６と、充電制御ＦＥＴ６８と、充電保護ＦＥＴ７０と、保護回路７２と、セル電圧検出回路７４と、断線検出回路７６と、サーミスタ７８を備えている。
【００４２】
レギュレータ６２には、ダイオード８０を介してバッテリパック３０からの電力が供給されるとともに、ダイオード８２を介してＡＣアダプタ６０からの電力が供給される。レギュレータ６２は、バッテリパック３０またはＡＣアダプタ６０から供給される電力の電圧を調整して、制御ユニット２２の各構成要素に電源電圧を供給する。
【００４３】
マイコン６４は、ＣＰＵ、ＲＯＭ、ＲＡＭ等を備えている。マイコン６４は、ＲＯＭに記憶されたプログラムに従って、各種の処理を実行する。
【００４４】
放電制御ＦＥＴ６６は、バッテリパック３０からモータ２０への放電経路上に配置されたスイッチング素子である。放電制御ＦＥＴ６６のオン・オフは、マイコン６４によって制御される。マイコン６４は、操作ユニット２６の駆動スイッチ３８から駆動指示が入力されると、選択されているモードに応じたデューティ比のＰＷＭ信号を生成して、放電制御ＦＥＴ６６に出力する。これによって、選択されているモードに応じた速度でモータ２０が回転する。また、マイコン６４は、操作ユニット２６の停止スイッチ４０から停止指示が入力されると、放電制御ＦＥＴ６６をオフにして、モータ２０の駆動を停止する。
【００４５】
充電制御ＦＥＴ６８と充電保護ＦＥＴ７０は、いずれも、ＡＣアダプタ６０からバッテリパック３０への充電経路上に配置されたスイッチング素子である。充電制御ＦＥＴ６８と充電保護ＦＥＴ７０のオン・オフは、マイコン６４によって制御される。マイコン６４は、モータ２０が停止しており、ＡＣアダプタ６０が接続されている状況で、バッテリパック３０の出力電圧が所定の充電開始電圧を下回る場合に、充電保護ＦＥＴ７０をオンにするとともに、設定された充電電流の大きさに応じたデューティ比のＰＷＭ信号を生成して、充電制御ＦＥＴ６８に出力する。これによって、ＡＣアダプタ６０からバッテリパック３０への充電が行われる。マイコン６４は、ＡＣアダプタ６０からバッテリパック３０への充電が行われている間、表示ユニット２４のＬＥＤ３６を点灯する。マイコン６４は、ＡＣアダプタ６０からバッテリパック３０への充電が行われている状況で、バッテリパック３０の出力電圧が所定の充電終了電圧を上回ると、充電制御ＦＥＴ６８と充電保護ＦＥＴ７０をオフにして、ＡＣアダプタ６０からバッテリパック３０への充電を終了する。マイコン６４は、ＡＣアダプタ６０からバッテリパック３０への充電を終了すると、表示ユニット２４のＬＥＤ３６を消灯する。
【００４６】
なお、マイコン６４は、バッテリパック３０への充電中に、操作ユニット２６の駆動スイッチ３８から駆動指示が入力されると、充電制御ＦＥＴ６８と充電保護ＦＥＴ７０をオフにしてバッテリパック３０への充電を終了するとともに、放電制御ＦＥＴ６６を制御してモータ２０を駆動する。その後、操作ユニット２６の停止スイッチ４０から停止指示が入力されると、マイコン６４は、放電制御ＦＥＴ６６をオフにしてモータ２０の駆動を停止し、バッテリパック３０の出力電圧が所定の充電開始電圧を下回っていれば、充電制御ＦＥＴ６８と充電保護ＦＥＴ７０を制御して、バッテリパック３０への充電を再開する。
【００４７】
保護回路７２は、バッテリパック３０の電池セル４８ａ、４８ｂ、４８ｃのそれぞれの電圧を監視する。保護回路７２は、電池セル４８ａ、４８ｂ、４８ｃのいずれかの電圧が所定電圧を超えている場合に、充電制御ＦＥＴ６８を強制的にオフにして、バッテリパック３０への充電を禁止する。
【００４８】
セル電圧検出回路７４は、バッテリパック３０の電池セル４８ａ、４８ｂ、４８ｃのそれぞれの電圧を検出して、マイコン６４に出力する。マイコン６４は、バッテリパック３０への充電中に、電池セル４８ａ、４８ｂ、４８ｃのいずれかの電圧が所定電圧を超えると、充電制御ＦＥＴ６８と充電保護ＦＥＴ７０をオフにして、バッテリパック３０への充電を禁止する。
【００４９】
断線検出回路７６は、バッテリパック３０内での断線の有無を検出して、マイコン６４に出力する。マイコン６４は、バッテリパック３０内での断線が検出されると、放電制御ＦＥＴ６６、充電制御ＦＥＴ６８、充電保護ＦＥＴ７０をオフにして、バッテリパック３０からの放電およびバッテリパック３０への充電を禁止する。
【００５０】
サーミスタ７８は、制御ユニット２２の温度を検出する。バッテリパック３０のサーミスタ５０の正極と、制御ユニット２２のサーミスタ７８の正極は、マイコン６４の単一のアナログポートに接続されている。また、サーミスタ５０の正極と、サーミスタ７８の正極には、抵抗器８４を介してレギュレータ６２からの電源電圧が印可されている。サーミスタ５０とサーミスタ７８は、いずれも、温度に応じて抵抗値が変化し、それに応じて抵抗器８４との分圧比が変化する。サーミスタ５０の負極と、サーミスタ７８の負極は、マイコン６４の別個のデジタルポートに接続されている。マイコン６４は、サーミスタ５０の負極に接地電位を出力し、サーミスタ５０の正極の電位を検出することで、サーミスタ５０で検出される温度を取得することができる。また、マイコン６４は、サーミスタ７８の負極に接地電位を出力し、サーミスタ７８の正極の電位を検出することで、サーミスタ７８で検出される温度を取得することができる。マイコン６４は、サーミスタ５０で検出される温度またはサーミスタ７８で検出される温度が、所定の温度範囲から外れている場合には、充電制御ＦＥＴ６８と充電保護ＦＥＴ７０をオフにして、バッテリパック３０への充電を禁止する。
【００５１】
以下では、クリーナ２とクリーナ１０２の相違点について説明する。クリーナ２で使用されるバッテリパック３０は、クリーナ１０２で使用されるバッテリパック１０４に比べて、充電容量が大きい。例えば、クリーナ１０２で使用されるバッテリパック１０４の充電容量は２．０Ａｈであるのに対して、クリーナ２で使用されるバッテリパック３０の充電容量は２．５Ａｈである。このようなバッテリパック３０，１０４の充電容量の相違に応じて、クリーナ２でバッテリパック３０を充電する際の充電電流は、クリーナ１０２でバッテリパック１０４を充電する際の充電電流に比べて、大きく設定されている。このように、クリーナ２とクリーナ１０２では、バッテリパック３０，１０４の充電容量や、バッテリパック３０，１０４を充電する際の充電電流の大きさが異なるため、誤ってクリーナ２にバッテリパック１０４を取り付けてしまったり、クリーナ１０２にバッテリパック３０を取り付けてしまうと、誤作動や不具合を生じるおそれがある。そこで、本実施例では、以下に説明するように、クリーナ２にはバッテリパック３０のみを取り付け可能とし、クリーナ１０２にはバッテリパック１０４のみを取り付け可能としている。
【００５２】
図５に示すように、バッテリパック３０の上部ケース５８には、バッテリ側凸部５８ａと、バッテリ側凹部５８ｂが形成されている。バッテリ側凸部５８ａは、上部ケース５８の上面から上方に突出しており、バッテリパック３０の左右方向の中央部に配置されている。バッテリ側凸部５８ａは、バッテリパック３０の前後方向に沿って伸びている。バッテリ側凸部５８ａは、バッテリパック３０の前端からバッテリパック３０の前後方向の寸法の１／４程度の長さで形成されている。バッテリ側凹部５８ｂは、上部ケース５８の上面と右面の角部を切り欠いた形状であって、バッテリパック３０の左右方向の右端に配置されている。バッテリ側凹部５８ｂは、バッテリパック３０の前後方向に沿って伸びている。バッテリ側凹部５８ｂは、バッテリパック３０の後端から前端にかけて、バッテリパック３０の前後方向の寸法と同じ長さで形成されている。
【００５３】
図７に示すように、クリーナ２のバッテリパック収容部４４には、バッテリパック３０のバッテリ側凸部５８ａ、バッテリ側凹部５８ｂに対応して、ハウジング側凹部４４ａと、ハウジング側凸部４４ｂが形成されている。ハウジング側凹部４４ａとハウジング側凸部４４ｂは、前後方向に関して、バッテリパック収容部４４の開口部８ａの近傍に配置されている。ハウジング側凹部４４ａは、バッテリ側凸部５８ａに対応する形状であって、バッテリパック収容部４４の左右方向の中央部に配置されている。より詳細には、ハウジング側凹部４４ａは、ハウジング９の左右方向の中央部に位置する右ハウジング５と左ハウジング７の接続箇所の近傍に配置されている。ハウジング側凹部４４ａは、左ハウジング７に形成されている。ハウジング側凸部４４ｂは、バッテリパック３０のバッテリ側凹部５８ｂに対応する形状であって、バッテリパック収容部４４の左右方向の右端に配置されている。すなわち、ハウジング側凸部４４ｂは、右ハウジング５に形成されている。
【００５４】
図８に示すように、バッテリパック１０４の上部ケース５８には、バッテリ側凸部５８ａやバッテリ側凹部５８ｂは形成されていない。また、図９に示すように、クリーナ１０２のバッテリパック収容部４４には、ハウジング側凹部４４ａやハウジング側凸部４４ｂは形成されていない。
【００５５】
図７に示すクリーナ２のバッテリパック収容部４４に、図５に示すバッテリパック３０を取り付ける際には、バッテリパック３０のバッテリ側凸部５８ａがバッテリパック収容部４４のハウジング側凹部４４ａを通過し、バッテリパック収容部４４のハウジング側凸部４４ｂがバッテリパック３０のバッテリ側凹部５８ｂを通過する。このため、バッテリパック３０をバッテリパック収容部４４に完全に差し入れることができる。これに対して、図９に示すクリーナ１０２のバッテリパック収容部４４に、図５に示すバッテリパック３０を取り付けようとすると、バッテリパック３０のバッテリ側凸部５８ａがバッテリパック収容部４４と干渉する。このため、バッテリパック３０をバッテリパック収容部４４に差し入れることができない。このような構成とすることで、クリーナ１０２にバッテリパック３０を誤って取り付けてしまうことを防止することができる。
【００５６】
図９に示すクリーナ１０２のバッテリパック収容部４４に、図８に示すバッテリパック１０４を取り付ける際には、バッテリパック１０４とバッテリパック収容部４４は干渉しないので、バッテリパック１０４をバッテリパック収容部４４に完全に差し入れることができる。これに対して、図７に示すクリーナ２のバッテリパック収容部４４に、図８に示すバッテリパック１０４を取り付けようとすると、バッテリパック収容部４４のハウジング側凸部４４ｂがバッテリパック１０４と干渉する。このため、バッテリパック１０４をバッテリパック収容部４４に差し入れることができない。このような構成とすることによって、クリーナ２にバッテリパック１０４を誤って取り付けてしまうことを防止することができる。
【００５７】
なお、クリーナ２のバッテリパック収容部４４のハウジング側凹部４４ａやハウジング側凸部４４ｂの位置および形状、およびそれらに対応するバッテリパック３０のバッテリ側凸部５８ａやバッテリ側凹部５８ｂの位置および形状は、種々のものとすることができる。
【００５８】
例えば、前後方向に関して、バッテリパック収容部４４のハウジング側凸部４４ｂを、バッテリパック収容部４４の前後方向の全体にわたって形成してもよいし、バッテリパック収容部４４の前後方向の一部にわたって形成してもよい。また、前後方向に関して、バッテリパック３０のバッテリ側凸部５８ａを、図１３に示すように、バッテリパック３０の前後方向の全体にわたって形成してもよいし、図５に示すように、バッテリパック３０の前後方向の一部にわたって形成してもよい。また、前後方向に関して、バッテリパック収容部４４のハウジング側凹部４４ａを、バッテリパック収容部４４の前後方向の全体にわたって形成してもよいし、バッテリパック収容部４４の前後方向の一部にわたって形成してもよい。また、前後方向に関して、バッテリパック３０のバッテリ側凹部５８ｂを、図５に示すように、バッテリパック３０の前後方向の全体にわたって形成してもよいし、図１３に示すように、バッテリパック３０の前後方向の一部にわたって形成してもよい。
【００５９】
また、バッテリパック３０のバッテリ側凸部５８ａを、図１３に示すように、バッテリパック３０の上面において中央部以外の箇所に形成してもよい。あるいは、バッテリパック３０のバッテリ側凸部５８ａを、バッテリパック３０の右側面、左側面または下面に形成してもよい。また、バッテリパック３０のバッテリ側凹部５８ｂを、バッテリパック３０の左上角部、左下角部、右下角部に形成してもよい。あるいは、バッテリパック３０のバッテリ側凹部５８ｂを、バッテリパック３０の上面、右側面、左側面または下面の、角部以外の箇所（例えば図１４参照）に形成してもよい。
【００６０】
以下では、クリーナ２で使用されるＡＣアダプタ６０と、クリーナ１０２で使用されるＡＣアダプタ１０６の相違について説明する。
【００６１】
図１０は、ＡＣアダプタ６０、１０６のプラグ９０と、クリーナ２、１０２のＤＣジャック４２の寸法の関係を示している。プラグ９０のブッシング外径Ｄ１がＤＣジャック４２のハウジング孔内径Ｄ４よりも小さく、プラグ９０のプラグ外径Ｄ２がＤＣジャック４２のインレット孔内径Ｄ５よりも小さく、プラグ９０のプラグ内径Ｄ３がＤＣジャック４２のインレットピン外径Ｄ６よりも大きい場合に、プラグ９０はＤＣジャック４２に取り付け可能となる。
【００６２】
本実施例では、クリーナ２のＤＣジャック４２は、クリーナ１０２のＤＣジャック４２に対して、ハウジング孔内径Ｄ４を大きくし、インレット孔内径Ｄ５とインレットピン外径Ｄ６は同一としている。例えば、ハウジング孔内径Ｄ４は、クリーナ２のＤＣジャック４２では１８ｍｍであり、クリーナ１０２のＤＣジャック４２では１５ｍｍである。また、ＡＣアダプタ６０のプラグ９０は、ＡＣアダプタ１０６のプラグ９０に対して、ブッシング外径Ｄ１を大きくし、プラグ外径Ｄ２とプラグ内径Ｄ３は同一としている。例えば、ＡＣアダプタ６０のプラグ９０のブッシング外径Ｄ１は１８ｍｍであり、ＡＣアダプタ１０６のプラグ９０のブッシング外径Ｄ１は１５ｍｍである。この場合、ＡＣアダプタ１０６は、クリーナ２のＤＣジャック４２と、クリーナ１０２のＤＣジャック４２の両方に取り付け可能である。これに対して、ＡＣアダプタ６０は、クリーナ２のＤＣジャック４２には取り付け可能であるものの、クリーナ１０２のＤＣジャック４２には取り付け不能である。
【００６３】
図１１は、変形例に係るクリーナ２０２，３０２を示す。クリーナ２０２，３０２は、本体ハウジング４およびハンドル支持部８の内部のバッテリパック収容部４４を備えておらず、代わりに、ハンドル支持部８の下面にバッテリパック取り付け部９２を備えている点で、クリーナ２，１０２とは相違している。クリーナ２０２のバッテリパック取り付け部９２には、スライド式のバッテリパック２０４が着脱可能である。クリーナ３０２のバッテリパック取り付け部９２には、スライド式のバッテリパック３０４が着脱可能である。クリーナ２０２，３０２のバッテリパック取り付け部９２には、前後方向に伸びるレール９４が設けられている。バッテリパック２０４，３０４の上面には、レール９４に対応して、前後方向に伸びるレール９６が設けられている。バッテリパック２０４，３０４は、レール９４とレール９６を位置合わせした状態で、クリーナ２０２，３０２に対して前後方向にスライドさせることで、クリーナ２０２，３０２に対して着脱可能である。バッテリパック２０４は、バッテリパック３０４よりも充電容量が大きい。また、クリーナ２０２によってバッテリパック２０４を充電する際の充電電流は、クリーナ３０２によってバッテリパック３０４を充電する際の充電電流よりも大きく設定されている。
【００６４】
図１２は、クリーナ２０２，３０２のレール９４と、バッテリパック２０４，３０４のレール９６の寸法の関係を示している。レール９４のレール幅Ｄ７がレール９６のレール幅Ｄ９よりも大きく、レール９４のレール高さＤ８がレール９６のレール高さＤ１０よりも小さい場合に、レール９６はレール９４に取り付け可能となる。
【００６５】
本変形例では、クリーナ２０２のレール９４は、クリーナ３０２のレール９４に比べて、レール幅Ｄ７が小さく、レール高さＤ８も小さい。例えば、レール幅Ｄ７は、クリーナ２０２のレール９４では５４ｍｍであり、クリーナ３０２のレール９４では５８ｍｍであり、レール高さＤ８は、クリーナ２０２のレール９４では６ｍｍであり、クリーナ３０２のレール９４では８ｍｍである。また、バッテリパック２０４のレール９６は、バッテリパック３０４のレール９６に比べて、レール幅Ｄ９が小さく、レール高さＤ１０も小さい。例えば、レール幅Ｄ９は、バッテリパック２０４では５４ｍｍであり、バッテリパック３０４では５８ｍｍであり、レール高さＤ１０は、バッテリパック２０４では６ｍｍであり、バッテリパック３０４では８ｍｍである。この場合、バッテリパック２０４は、クリーナ２０２には取り付け可能であるものの、クリーナ３０２には取り付け不能である。また、バッテリパック３０４は、クリーナ３０２には取り付け可能であるものの、クリーナ２０２には取り付け不能である。
【００６６】
以上のように、１つまたはそれ以上の実施形態において、クリーナ２は、空気を吸引するファン１８と、ファン１８を回転させるモータ２０と、モータ２０に電力を供給するバッテリパック３０と、ファン１８、モータ２０およびバッテリパック３０を収容するハウジング９を備えている。ハウジング９は、バッテリパック３０を収容するバッテリパック収容部４４と、バッテリパック３０をハウジング９の外側からバッテリパック収容部４４に挿入可能な開口部８ａを備えている。バッテリパック収容部４４は、バッテリパック３０の挿入方向（前後方向）に直交する面内で、バッテリパック３０に向かって突出するハウジング側凸部４４ｂと、バッテリパック３０の挿入方向（前後方向）に直交する面内で、バッテリパック３０の反対側に向かって陥凹するハウジング側凹部４４ａを備えている。バッテリパック３０は、ハウジング側凹部４４ａに対応する位置および形状でバッテリパック３０の外面から突出するバッテリ側凸部５８ａと、ハウジング側凸部４４ｂに対応する位置および形状でバッテリパック３０の外面から陥凹するバッテリ側凹部５８ｂを備えている。
【００６７】
１つまたはそれ以上の実施形態において、バッテリパック３０は、クリーナ２で使用される。クリーナ２は、空気を吸引するファン１８と、バッテリパック３０から電力を供給されて、ファン１８を回転させるモータ２０と、ファン１８、モータ２０およびバッテリパック３０を収容するハウジング９を備えている。ハウジング９は、バッテリパック３０を収容するバッテリパック収容部４４と、バッテリパック３０をハウジング９の外側からバッテリパック収容部４４に挿入可能な開口部８ａを備えている。バッテリパック収容部４４は、バッテリパック３０の挿入方向（前後方向）に直交する面内で、バッテリパック３０に向かって突出するハウジング側凸部４４ｂと、バッテリパック３０の挿入方向（前後方向）に直交する面内で、バッテリパック３０の反対側に向かって陥凹するハウジング側凹部４４ａを備えている。バッテリパック３０は、ハウジング側凹部４４ａに対応する位置および形状でバッテリパック３０の外面から突出するバッテリ側凸部５８ａと、ハウジング側凸部４４ｂに対応する位置および形状でバッテリパック３０の外面から陥凹するバッテリ側凹部５８ｂを備えている。
【００６８】
上記の構成によれば、バッテリ側凹部５８ｂを備えていないバッテリパック１０４が、ハウジング側凸部４４ｂを備えるクリーナ２に挿入されてしまうことや、バッテリ側凸部５８ａを備えるバッテリパック３０が、ハウジング側凹部４４ａを備えていないクリーナ１０２に挿入されてしまうことを防ぐことができる。このような構成とすることによって、バッテリパック１０４がクリーナ２に誤って挿入されることや、バッテリパック３０がクリーナ１０２に誤って挿入されることを防止することができる。
【００６９】
１つまたはそれ以上の実施形態において、バッテリ側凸部５８ａは、バッテリパック３０の挿入方向（前後方向）に直交する方向（左右方向）における中央部に配置されている。
【００７０】
上記の構成では、バッテリパック収容部４４のハウジング側凹部４４ａが、左右方向における中央部に配置される。多くの場合、バッテリパック収容部４４では、バッテリパック３０の挿入方向（前後方向）に直交する方向（左右方向）において、端部から中央部に近づくにつれて、利用可能なスペースが大きくなる。上記の構成によれば、バッテリパック収容部４４で利用可能なスペースを有効に活用して、ハウジング側凹部４４ａを配置することができる。
【００７１】
１つまたはそれ以上の実施形態において、バッテリ側凹部５８ｂは、バッテリパック３０の挿入方向（前後方向）に直交する方向（左右方向）における端部に配置されている。
【００７２】
上記の構成では、バッテリパック収容部４４のハウジング側凸部４４ｂが、左右方向における端部に配置される。仮に、バッテリパック収容部４４のハウジング側凸部４４ｂが、左右方向における中央部近傍に配置されていると、ハウジング９を構成する右ハウジング５や左ハウジング７を射出成型によって形成する際に、成型後に金型を抜きにくくなり、クリーナ２の製造が困難なものとなる。上記のように、バッテリパック収容部４４のハウジング側凸部４４ｂが、左右方向における端部に配置されていると、右ハウジング５や左ハウジング７を射出成型によって形成する際に、成型後に金型を抜きやすくなり、クリーナ２の製造を容易なものとすることができる。
【００７３】
１つまたはそれ以上の実施形態において、バッテリ側凹部５８ｂは、バッテリパック３０の角部に配置されている。
【００７４】
多くの場合、バッテリパック３０に内蔵されている電池セル４８ａ、４８ｂ、４８ｃは、バッテリパック３０の挿入方向（前後方向）に長手方向を有する略円柱形状を有しており、バッテリパック３０の角部には利用可能なスペースが存在する。上記の構成によれば、バッテリパック３０の角部のスペースを有効に活用してバッテリ側凹部５８ｂを形成することができる。
【００７５】
１つまたはそれ以上の実施形態において、バッテリパック３０は、コネクタ５４を備えている。バッテリ側凹部５８ｂは、バッテリパック３０の挿入方向（前後方向）に直交する方向（左右方向）においてコネクタ５４とは反対側に配置されている。
【００７６】
バッテリパック３０がコネクタ５４を備えている場合、バッテリ側凹部５８ｂは、電池セル４８ａ、４８ｂ、４８ｃとの干渉だけでなく、コネクタ５４との干渉も避けて配置する必要がある。上記の構成によれば、バッテリ側凹部５８ｂが、左右方向においてコネクタ５４とは反対側に配置されているので、バッテリ側凹部５８ｂがコネクタ５４と干渉することを確実に回避することができる。
【００７７】
１つまたはそれ以上の実施形態において、バッテリ側凸部５８ａは、バッテリパック３０の先端の近傍に配置されている。
【００７８】
上記の構成によれば、バッテリ側凸部５８ａを備えるバッテリパック３０を、ハウジング側凹部４４ａを備えていないクリーナ１０２に挿入しようとした場合に、バッテリパック３０の先端の近傍にあるバッテリ側凸部５８ａがすぐにハウジング９と干渉するので、使用者はバッテリパック３０とクリーナ１０２が互いに対応していない事を速やかに認識することができる。
【００７９】
１つまたはそれ以上の実施形態において、バッテリ側凸部５８ａは、バッテリパック３０の挿入方向（前後方向）に沿って伸びている。バッテリ側凹部５８ｂは、バッテリパック３０の挿入方向（前後方向）に沿って伸びている。
【００８０】
上記の構成によれば、バッテリパック３０の着脱に支障をきたすことなく、バッテリ側凸部５８ａやバッテリ側凹部５８ｂの長さを確保することができる。
【００８１】
１つまたはそれ以上の実施形態において、ハウジング側凸部４４ｂは、開口部８ａの近傍に配置されている。
【００８２】
上記の構成によれば、バッテリ側凹部５８ｂを備えていないバッテリパック１０４を、ハウジング側凸部４４ｂを備えるクリーナ２に挿入しようとした場合に、開口部８ａの近傍にあるハウジング側凸部４４ｂがすぐにバッテリパック１０４と干渉するので、使用者はバッテリパック１０４とクリーナ２が互いに対応していない事を速やかに認識することができる。
【００８３】
１つまたはそれ以上の実施形態において、ハウジング９は、ファン１８と、モータ２０を収容する本体ハウジング４と、本体ハウジング４に一端が接続されており、使用者が把持可能なハンドル６と、一端がハンドル６の他端に接続されており、他端が本体ハウジング４に接続されたハンドル支持部８を備えている。バッテリパック収容部４４は、ハンドル支持部８の内部に配置されている。開口部８ａは、ハンドル支持部８の一端に配置されている。
【００８４】
上記の構成によれば、ハンドル支持部８の内部の空間をバッテリパック収容部４４として有効に活用することができる。
【００８５】
上記の実施例では、モータ２０が、直流モータである場合について説明したが、モータ２０は、バッテリパック３０，１０４，２０４，３０４から供給される電力によって、ファン１８を回転することができるものであれば、どのような種類のモータであってもよい。
【００８６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８７】
２      ：クリーナ
４      ：本体ハウジング
５      ：右ハウジング
６      ：ハンドル
７      ：左ハウジング
８      ：ハンドル支持部
８ａ    ：開口部
９      ：ハウジング
１０    ：吸込口
１２    ：排気口
１４    ：ダストバッグ
１６    ：スポンジフィルタ
１８    ：ファン
２０    ：モータ
２２    ：制御ユニット
２４    ：表示ユニット
２６    ：操作ユニット
２８    ：接続ユニット
３０    ：バッテリパック
３２    ：ダストバッグ収容部
３４    ：フロントカバー
３６    ：ＬＥＤ
３８    ：駆動スイッチ
４０    ：停止スイッチ
４２    ：ＤＣジャック
４４    ：バッテリパック収容部
４４ａ  ：ハウジング側凹部
４４ｂ  ：ハウジング側凸部
４６    ：バッテリカバー
４８ａ  ：電池セル
４８ｂ  ：電池セル
４８ｃ  ：電池セル
５０    ：サーミスタ
５２    ：配線基板
５４    ：コネクタ
５６    ：下部ケース
５８    ：上部ケース
５８ａ  ：バッテリ側凸部
５８ｂ  ：バッテリ側凹部
６０    ：ＡＣアダプタ
６２    ：レギュレータ
６４    ：マイコン
６６    ：放電制御ＦＥＴ
６８    ：充電制御ＦＥＴ
７０    ：充電保護ＦＥＴ
７２    ：保護回路
７４    ：セル電圧検出回路
７６    ：断線検出回路
７８    ：サーミスタ
８０    ：ダイオード
８２    ：ダイオード
８４    ：抵抗器
９０    ：プラグ
９２    ：バッテリパック取り付け部
９４    ：レール
９６    ：レール
１０２  ：クリーナ
１０４  ：バッテリパック
１０６  ：ＡＣアダプタ
２０２  ：クリーナ
２０４  ：バッテリパック
３０２  ：クリーナ
３０４  ：バッテリパック
【図１】
2020048592.tif 000003
【図２】
2020048592.tif 000004
【図３】
2020048592.tif 000005
【図４】
2020048592.tif 000006
【図５】
2020048592.tif 000007
【図６】
2020048592.tif 000008
【図７】
2020048592.tif 000009
【図８】
2020048592.tif 000010
【図９】
2020048592.tif 000011
【図１０】
2020048592.tif 000012
【図１１】
2020048592.tif 000013
【図１２】
2020048592.tif 000014
【図１３】
2020048592.tif 000015
【図１４】
2020048592.tif 000016